(57)【要約】【課題】磁器碍子との擦れによる他部材の摩耗を防止することのできる電線支持具の提供。【解決手段】電柱に固定する支持具本体４を設ける。電線を受ける磁器碍子６を支持具本体４で回転自在に保持する。磁器碍子６と支持具本体４との間に、磁器碍子６との擦れによる支持具本体４の摩耗を防止するスライダー７を介装する。磁器碍子６との擦れによるスライダー７及び電線の摩耗を防止するよう磁器碍子６のほぼ全表面を釉薬で覆う。電線の振動に伴って磁器碍子６が回転方向に振動したとしても、磁器碍子６との擦れによる支持具本体４などの摩耗が防止される。【選択図】  図５
2019204583.tif 000002
【特許請求の範囲】
【請求項１】
電柱に固定される支持具本体と、該支持具本体に回転自在に保持されて電線を受ける磁器碍子と、を備え、前記磁器碍子との擦れによる他部材の摩耗を防止する摩耗防止手段が設けられたことを特徴とする電線支持具。
【請求項２】
前記摩耗防止手段として、磁器碍子のうちの他部材との接触面が釉薬で覆われたことを特徴とする請求項１に記載の電線支持具。
【請求項３】
前記磁器碍子に、その回転軸方向における電線の移動を規制する鍔部が形成され、該鍔部の外周部にフラット部が形成されたことを特徴とする請求項１又は２に記載の電線支持具。
【請求項４】
前記摩耗防止手段として、磁器碍子と支持具本体との間にスライダーが介装され、該スライダーが支持具本体に着脱自在とされたことを特徴とする請求項１、２又は３に記載の電線支持具。
【請求項５】
前記磁器碍子が、その中心穴を貫通するボルトを介して支持具本体に回転自在に保持され、前記スライダーと支持具本体との取付部に、前記ボルトを支持具本体に固定するナットの脱落を防止するナット脱落防止カバーが取り付けられたことを特徴とする請求項４に記載の電線支持具。
【発明の詳細な説明】
【技術分野】
【０００１】
本発明は、電柱に取り付けられて電線を引留め又は引き通して支持する電線支持具に関するものである。
【背景技術】
【０００２】
一般に、電柱には電線支持具が取り付けられ、この電線支持具により、引留め又は引き通した電線を支持するようになっている（例えば、特許文献１）。
【０００３】
図７に示すように、特許文献１の電線支持具は、コ形状の本体枠１０１の上部片１０２と下部片１０３との間に碍子１０４を介在させ、本体枠１０１の内側に通した電線１０５を碍子１０４の周面の溝１０６に沿わせて支持するものである。碍子１０４は、ボルト１０７を貫通させると共に、このボルト１０７を本体枠１０１の上部片１０２の透孔１０８と下部片１０３の長孔１０９に通してナット１１０を締め付けることによって取り付けている。
【先行技術文献】
【特許文献】
【０００４】
【特許文献１】特開平９−２７２２４（段落０００７−００１０、図１）
【発明の概要】
【発明が解決しようとする課題】
【０００５】
ところが、特許文献１の電線支持具は、本体枠の上部片と下部片との間に碍子を介在させつつ、碍子の中央にボルトを貫通させることにより、ボルトを介して、本体枠に碍子を取り付けたものであり、その碍子が回転自在に保持されている。この電線支持具は、風に起因する電線の振動などに伴って、電線を受ける碍子が回転方向に振動することにより、本体枠の上部片又は下部片が碍子と擦れて摩耗するおそれがある。
【０００６】
本発明は、磁器碍子との擦れによる他部材の摩耗を防止することのできる電線支持具の提供を目的とする。
【課題を解決するための手段】
【０００７】
上記目的を達成するために、本発明に係る電線支持具は、電柱に固定される支持具本体と、この支持具本体に回転自在に保持されて電線を受ける磁器碍子と、を備えたものであり、磁器碍子との擦れによる他部材の摩耗を防止する摩耗防止手段を設けたものである。
【０００８】
上記構成によれば、電線支持具に摩耗防止手段を設けるので、例えば、風に起因する電線の振動に伴って、電線を受ける磁器碍子が回転方向に振動したとしても、支持具本体などの他部材が磁器碍子と擦れて摩耗するのを防止することができる。
【０００９】
また、摩耗防止手段として、磁器碍子のうちの他部材との接触面を釉薬で覆うようにしてもよい。
【００１０】
この構成によると、表面が硬くて粗い磁器碍子のうち、少なくとも他部材との接触面を釉薬で覆うので、その接触面を滑らかにすることができ、支持具本体などの他部材が磁器碍子と擦れて摩耗するのを防止することができる。
【００１１】
また、磁器碍子に、その回転軸方向における電線の移動を規制する鍔部を形成し、この鍔部の外周部にフラット部を形成するようにしてもよい。
【００１２】
この構成によると、磁器碍子に鍔部を形成するので、この鍔部により、磁器碍子の回転軸方向における電線の移動を規制することができる。さらに、鍔部の外周部にフラット部を形成するので、このフラット部を台に接触させるように磁器碍子を載置することにより、磁器碍子を転がらせることなく焼き上げることができ、しかも、台との接触による釉薬層からの露出部を他部材との非接触部位である鍔部の外周部に設定することができる。
【００１３】
また、摩耗防止手段として、磁器碍子と支持具本体との間にスライダーを介装し、このスライダーを支持具本体に着脱自在とするようにしてもよい。
【００１４】
この構成によると、磁器碍子と支持具本体との間にスライダーを介装するので、支持具本体に回転自在に保持された磁器碍子が回転方向に振動したとしても、支持具本体が磁器碍子と擦れて摩耗するのを防止することができる。また、スライダーを支持具本体に着脱自在とするので、支持具本体に電線を通す際に磁器碍子を取り外す場合であっても、磁器碍子と支持具本体との間に介装したスライダーの脱落を防止することができ、しかも、スライダーが摩耗した場合には、そのスライダーを適宜交換することができる。
【００１５】
また、磁器碍子をその中心穴を貫通するボルトを介して支持具本体に回転自在に保持させ、スライダーと支持具本体との取付部に、ボルトを支持具本体に固定するナットの脱落を防止するナット脱落防止カバーを取り付けるようにしてもよい。
【００１６】
この構成によると、磁器碍子の中心穴にボルトを貫通させるので、このボルトを支持具本体にナットを用いて固定することにより、支持具本体に磁器碍子を回転自在かつ確実に保持させることができる。この場合、磁器碍子の回転方向の振動によってナットの緩みを生じるおそれがあるが、ナット脱落防止カバーを取り付けてナットの脱落を防止することができ、しかも、ナット脱落防止カバーをスライダーと支持具本体との取付部に取り付けることにより、専用の取付部を省略することができる。
【発明の効果】
【００１７】
以上のとおり、本発明によると、電柱に固定する支持具本体で、電線を受ける磁器碍子を回転自在に保持し、その磁器碍子との擦れによる他部材の摩耗を防止する摩耗防止手段を設けるようにしている。これにより、例えば、風に起因する電線の振動に伴って、電線を受ける磁器碍子が回転方向に振動したとしても、支持具本体などの他部材が磁器碍子と擦れて摩耗するのを防止することができる。
【図面の簡単な説明】
【００１８】
【図１】本発明に係る電線支持具に電線を引き通した様子を示す図
【図２】電線支持具を上方から見た斜視図
【図３】図２の支持具本体の一部を切り欠いた図
【図４】電線支持具を下方から見た斜視図
【図５】電線支持具の分解斜視図
【図６】磁器碍子を焼き上げる様子を示す斜視図
【図７】従来の電線支持具の側面図
【発明を実施するための形態】
【００１９】
以下、本発明に係る電線支持具を実施するための形態について、図面を用いて説明する。
【００２０】
図１〜図５に示すように、電線支持具１は、電柱２に取り付けられて電線３を引き通して支持するものであり、電柱２に固定される支持具本体４と、電線３を受けるようボルト５を介して支持具本体４に回転自在に保持された磁器碍子６と、支持具本体４と磁器碍子６との間に介装されるスライダー７と、ボルト５を支持具本体４に固定するナット８の脱落を防止するナット脱落防止カバー９と、を備え、そのスライダー７が磁器碍子６との擦れによる支持具本体４の摩耗を防止する第１の摩耗防止手段とされ、磁器碍子６のほぼ全表面を覆う釉薬が磁器碍子６との擦れによるスライダー７及び電線３の摩耗を防止する第２の摩耗防止手段とされたものである。なお、電線支持具１は、電線３を引き通して支持するだけでなく、電線３を引留めて支持することもできる。
【００２１】
支持具本体４は、合成樹脂製で上部４ａ、下部４ｂ及び基部４ｃからなるコ形の部材とされ、そのコ形の内側の空間が磁器碍子６を収容する収容空間とされる。支持具本体４の基部４ｃには、バンド挿通孔１０が形成され、例えば、このバンド挿通孔１０に挿通したバンド１１により、支持具本体４を立てた状態で、電線支持具１を電柱２の側面に取り付けるようになっている。
【００２２】
支持具本体４の上部４ａ及び下部４ｂには、中心線を合わせてボルト孔１２、１３が形成され、これらにボルト５を挿通して下部４ｂの下側からナット８を締付けることにより、ボルト５が磁器碍子６を収容した収容空間を通過しつつ支持具本体４に固定される。支持具本体４の上部４ａには、ボルト孔１２の周縁部に六角形の凹部１４が形成され、この凹部１４がボルト５の頭部１５を係止して、ナット８を締付けた際、あるいは磁器碍子６が回転方向に振動した際のボルト５の供回りを防止する。
【００２３】
磁器碍子６は、磁器製で、二条の鍔部１６の間に電線３を受ける碍子溝１７が設定された鼓形とされ、その中心軸を上下方向に向けて支持具本体４の収容空間に収容される。この磁器碍子６は、中心穴１８を貫通するボルト５に回転自在に保持されることにより、回転軸方向における電線３の移動を規制しつつ、電線３の振動による回転方向の移動を許容するようになっている。
【００２４】
図６に示すように、鍔部１６の外周部には、互いに平行な一対のフラット部１９が形成され、磁器碍子６を焼き上げて製造する際、フラット部１９を接触させるようにして、転がりを生じさせることなく、台上に載置するようになっている。フラット部１９を台に接触させて焼き上げることにより、磁器碍子６のうちのフラット部１９を除く部位を釉薬で覆うことができ、スライダー７及び電線３との接触面が釉薬で覆われている。
【００２５】
例えば、電線３を磁器碍子６と基部４ｃとの間を通るように支持具本体４に引き通して、その電線３を碍子溝１７に沿わせて受けることにより、電線３のなす角の頂点の外側に電柱２が位置するように架線することができる（図１参照）。
【００２６】
スライダー７は、滑りやすくて耐摩耗性の高い例えばポリオキシメチレン（ＰＯＭ）やポリアセタール樹脂からなるドーナツ板とされて、その外周部から上下方向で外向きに一対の取付片２０が突出し、この取付片２０に、支持具本体４の上部４ａ及び下部４ｂの側面の取付突起２１、２２に係脱される取付穴２３が形成されている。
【００２７】
取付突起２１、２２に取付穴２３を係脱することにより、スライダー７の中央穴２４の位置を支持具本体４のボルト孔１２、１３に合わせて、支持具本体４にスライダー７が着脱される。スライダー７を装着した状態で、支持具本体４の収容空間に磁器碍子６を収容することにより、磁器碍子６と支持具本体４との間にスライダー７が介装される。
【００２８】
ナット脱落防止カバー９は、コ形の合成樹脂板とされ、その両側片２５をスライダー７の取付片２０の外側に重ねて、両側片２５のスリット２６を取付突起２２に係止することにより、中央穴２７にボルト５の先端部を貫通させつつ、支持具本体４に装着される。中央穴２７の周囲にはナット８の下面を嵌め込む凹部２８が形成され、その周囲の凹凸２９を係合させてナット８の回転を規制すると共に、ナット８を下側から覆うことにより、ナット８の脱落を防止する。
【００２９】
上記構成によれば、磁器碍子６を回転自在に保持して電線３を受けるので、風などに起因して電線３が振動する際に作用する力を緩和することができる。しかも、支持具本体４と磁器碍子６との間に第１の摩耗防止手段としてのスライダー７を介装し、磁器碍子６のほぼ全表面を第２の摩耗防止手段としての釉薬で覆うので、磁器碍子６との擦れによる支持具本体４、スライダー７及び電線３の摩耗を防止することができる。
【００３０】
さらに、スライダー７を支持具本体４に対して着脱自在とするので、例えば、電線３を磁器碍子６と基部４ｃとの間を通るように支持具本体４に引き通す目的で、磁器碍子６を一旦取り外す際、支持具本体４からスライダー７が脱落するのを防止することができる。
【００３１】
また、磁器碍子６の鍔部１６にフラット部１９を形成するので、このフラット部１９を底面として、磁器碍子６を転がらせることなく台に載置し、磁器碍子６を焼き上げて製造することができ、磁器碍子６のうちのフラット部１９を除く全表面を釉薬で覆うことができる。
【００３２】
また、ナット脱落防止カバー９でナット８を覆うので、磁器碍子６が回転方向に振動したとしても、その振動に起因して、ボルト５からナット８が脱落するのを防止することができる。
【００３３】
なお、本発明は、上記の実施の形態に限定されるものではなく、本発明の範囲内において、適宜変更を加えることができる。例えば、電線支持具１は、電線３を磁器碍子６と基部４ｃとの間に通して、電線３のなす角の頂点の外側に電柱２が位置するように架線するだけでなく、電線３を磁器碍子６よりも先端側に掛けて、電線３のなす角の頂点の内側に電柱２が位置するように架線することもできる。また、電線支持具１に電線３を引き通すだけでなく、電線支持具１で電線３を引留めることもできる。また、電線支持具１を図１に示すように立てた状態で電柱２に取り付けるだけでなく、電線支持具１を横にした状態で電柱２に取り付けることもできる。
【００３４】
また、スライダー７やナット脱落防止カバー９は、必ずしも設ける必要はなく、磁器碍子６に、必ずしもフラット部１９を設ける必要もない。また、スライダー７を設ける場合には、必ずしも磁器碍子６のほぼ全表面を釉薬で覆う必要もない。
【符号の説明】
【００３５】
１      電線支持具
２      電柱
３      電線
４      支持具本体
４ａ    上部
４ｂ    下部
４ｃ    基部
５      ボルト
６      磁器碍子
７      スライダー
８      ナット
９      ナット脱落防止カバー
１０    バンド挿通孔
１１    バンド
１２    ボルト孔
１３    ボルト孔
１４    凹部
１５    頭部
１６    鍔部
１７    碍子溝
１８    中心穴
１９    フラット部
２０    取付片
２１    取付突起
２２    取付突起
２３    取付穴
２４    中央穴
２５    両側片
２６    スリット
２７    中央穴
２８    凹部
２９    凹凸
【図１】
2019204583.tif 000003
【図２】
2019204583.tif 000004
【図３】
2019204583.tif 000005
【図４】
2019204583.tif 000006
【図５】
2019204583.tif 000007
【図６】
2019204583.tif 000008
【図７】
2019204583.tif 000009